(57)【要約】【構成】支持用バンドにケーシングを着脱可能に設置し、このケーシングの上端開口から携帯電話を挿入可能にした携帯電話ホルダーである。ケーシングの底部に水抜き孔を形成した。【効果】上端開口と蓋体片との隙間を介して雨水等が浸入しても水抜き孔から排出され、ケーシング内に滞留することはない。携帯電話が水に漬かって故障することはなく、携帯電話を安全に収納することができる。携帯電話は防水性が図られているため、表面を雨水が流れる程度では故障することはない。【選択図】  図６
2014180328.tif 000002
【特許請求の範囲】
【請求項１】
支持用バンドにケーシングを着脱可能に設置し、このケーシングの上端開口から携帯電話を挿入可能にした携帯電話ホルダーにおいて、前記ケーシングの底部に水抜き孔を形成したことを特徴とする携帯電話ホルダー。
【請求項２】
前記水抜き孔が前記ケーシングの背面側に形成されていることを特徴とする請求項１の携帯電話ホルダー。
【請求項３】
前記ケーシングを柔軟材で形成し、前記水抜き孔を前記ケーシングの背面に沿ってスリット状に形成したことを特徴とする請求項２の携帯電話ホルダー。
【発明の詳細な説明】
【技術分野】
【０００１】
この発明は携帯電話ホルダーに関し、雨に降られた際にも電話ホルダーとして使用できるものである。
【背景技術】
【０００２】
従来における携帯電話ホルダーは、ケーシングを取り付け片を介して腰バンド等へ装着するものであり、使用者は前記ケーシングの上端開口から携帯電話を挿入し、蓋体片を巻き掛けることによって前記上端開口から携帯電話が抜け落ちるのを防止していた。
【０００３】
【特許文献１】実登録第３０２７９２１号公報
【特許文献２】実登録第３０１８９７９号公報
【発明の開示】
【発明が解決しようとする課題】
【０００４】
しかしながら、かかる従来の携帯電話ホルダーにあっては、前記上端開口と前記蓋体片との間に隙間が生じたため、この隙間を介して雨水等が浸入してケーシング内に滞留し、この結果、携帯電話が水に漬かって故障しやすいという不都合を有した。
【０００５】
この発明の課題は前記不都合を解消することである。
【課題を解決するための手段】
【０００６】
この課題を達成するために、この発明に係る携帯電話ホルダーにおいては、支持用バンドにケーシングを着脱可能に設置し、このケーシングの上端開口から携帯電話を挿入可能にした携帯電話ホルダーにおいて、前記ケーシングの底部に水抜き孔を形成したものである。
【０００７】
この場合、前記水抜き孔を前記ケーシングの背面側に形成することができる。  
【０００８】
この場合、前記ケーシングを柔軟材で形成し、且つ、前記水抜き孔を前記ケーシングの背面に沿ってスリット状に形成することができる。
【発明の効果】
【０００９】
この発明に係る携帯電話ホルダーは上記のように構成されているため、即ち、支持用バンドにケーシングを着脱可能に設置し、このケーシングの上端開口から携帯電話を挿入可能にした携帯電話ホルダーにおいて、前記ケーシングの底部に水抜き孔を形成したため、前記上端開口と前記蓋体片との隙間を介して雨水等が浸入しても前記水抜き孔から排出され、ケーシング内に滞留することはない。
【００１０】
よって、この携帯電話ホルダーを使用すれば、ケーシング内に雨水等が浸入しても携帯電話が水に漬かって故障することはなく、携帯電話を安全に収納することができる。なお、この場合、携帯電話の表面を雨水等が伝って流れるが、今の携帯電話は防水性が図られているため、この程度の雨水に対しては故障することはないものである。
【００１１】
この場合、前記水抜き孔を前記ケーシングの背面側に形成すれば、ケーシングを支持用バンドを介して身につけた状態でその前面側を持ち上げケーシングの底面を傾斜させることによって滞留した雨水等を効率良く排出させることができる。
【００１２】
また、この場合、前記ケーシングを柔軟材で形成し、且つ、前記水抜き孔を前記ケーシングの背面に沿ってスリット状に形成すれば、ケーシングを支持用バンドを介して身につけた状態でその前面側に引張ればこのスリット状水抜き孔は略三角形状に変形し、排水をより一層効率的に行うことができる（図７を参照のこと）。
【発明を実施するための最良の形態】
【００１３】
この発明に係る携帯電話ホルダーは実施するにあたって下記の構成に最も主要な特徴を有する。
【００１４】
この発明に係る「支持用バンド」とは使用者が体に締め付けるバンドのことであり、所謂ズボン用のベルト、アームバンド等が該当する。なお、アームバンドとは腕や手首に嵌めるバンドのことである。
【００１５】
「ケーシング」は柔軟で防水性を有する材料で形成することが望ましい。例えば、ソフト合成樹脂（ソフトビニール等）が適している。
【００１６】
「支持用バンド」に「ケーシング」を着脱可能に設置する手段には、締め付けベルト、面ファスナー等従来存在する全てのものが該当する。
【００１７】
また、「携帯電話」には、従来からの携帯電話以外に所謂スマートフォンも含まれる。
【００１８】
「水抜き孔」の断面形状は如何なるものでも良い。又、複数設置することもできる。前記ケーシングの背面に沿ってスリット状に形成することもできる。
【実施例】
【００１９】
以下、図面に基づいてこの発明の実施例を説明する。
【００２０】
図１はこの発明に係る携帯電話ホルダーの使用状態図、図２は同正面図、図３は同背面図、図４は同左側面図、図５は同底面図、図６は図２におけるVI-VI線断面図、図7は図5に相当するケーシングが変形した図、図８は図5に相当する他の実施例の図である。
【００２１】
図１〜図７に基づいて、この発明に係る携帯電話ホルダー
の実施例を説明する。
【００２２】
図１において、Ｍは使用者、Ｈはその二の腕Ａに設置された携帯電話ホルダーである。この携帯電話ホルダーＨはリストバンド（この発明の「支持用バンド」に相当する）１０にケーシング２０を着脱可能に設置したものであり、ケーシング２０内にはスマートフォンＳが挿入されている。
【００２３】
この場合、伸縮可能なスパイラルストラップＰ等によって前記スマートフォンＳを前記リストバンド１０に繋げておけばスマートフォンＳの落下を防止することができる（図１，図４を参照のこと）。
【００２４】
図２〜７に基づいて、この携帯電話ホルダーＨを詳述する。
【００２５】
前記ケーシング２０は長方形状をしている。ソフトビニールによって柔軟性を有する状態に形成されている。２１は上端開口であり、前記ケーシング２０の上端に形成されている。この上端開口２１を介して前記スマートフォンＳが前記ケーシング２０内に挿入され収容される。
【００２６】
２２は係止ベルトであり、その下端は前記ケーシング２０の背面における下端縁中心部に接着されている。この係止ベルト２２は上方に延びている。２３はボタン止め手段であり、前記係止ベルト２２の上端部と前記ケーシング２０の背面上端部とを着脱可能に係止する。前記係止ベルト２２の上端部をして前記リストバンド１０の裏側を通過せしめ、このボタン止め手段２３によって前記ケーシング２０の背面上端部に固定することにより、前記ケーシング２０は前記リストバンド１０、ひいては前記使用者Ｍの二の腕Ａに固定される（図４，図６を参照のこと）。
【００２７】
このとき、前記ケーシング２０の背面と前記リストバンド１０との接触部を面ファスナー２７によって、又、前記係止ベルト２２と前記リストバンド１０との接触部を面ファスナー２８によって着脱可能に固定すれば、前記リストバンド１０に対しての前記ケーシング２０の滑り止めを図ることができ、安定良く固定することができる。
【００２８】
なお、前記ボタン止め手段２３を使用しないで、前記係止ベルト２２の上端部と前記ケーシング２０の背面上端部とを接着等によって固定し、前記係止ベルト２２の途中に連結用ターンバックルを介在させ、前記係止ベルト２２の連結・開放をしたり長さ調節をしたりすることもできる。
【００２９】
２４は蓋体片であり、前記係止ベルト２１の上端縁に一体的に連設されている。この蓋体片２４はその先端部をボタン止め手段２５によって前記ケーシング２０の前面上部に着脱可能に止められ、前記スマートフォンＳの抜け落ち防止を図っている。
【００３０】
次に、２６は水抜き孔であり、前記ケーシング２０の底部に形成されている。この水抜き孔２６は前記ケーシングの背面に沿ってスリット状をし、前記ケーシング２０内の水を排出する。特に、図７に示すように、前記ケーシング２０を前記リストバンド１０を介して身につけた状態でその前面側に引張ればこのスリット状水抜き孔２６は略三角形状に変形し、開口面積が拡大し、排水をより一層効率的に行うことができる。
【００３１】
また、図１に示すように、前記リストバンド１０を介して二の腕に固定したとき、前記ケーシング２０が斜めになって、背面側に設けられた水抜き孔２６は最下端に位置するため、重力によって水の排出はより滑らかにおこなうことができる。
【００３２】
なお、この実施例では水抜き孔２５としてスリット状のものを説明したが、例えば、図８に示すように丸孔等でもよく、前記形状に限定されるものではない。
【産業上の利用可能性】
【００３３】
この発明に係る携帯電話ホルダーは、その上端開口と蓋体片との隙間を介して雨水等が浸入しても水抜き孔から排出され、ケーシング内に滞留することはない。このため、雨水等が浸入しても水に漬かって故障することはなく、携帯電話を安全に収納することができる。なお、この場合、携帯電話の表面を雨水等が伝って流れるが、今の携帯電話は防水性が図られているため、濡れる程度に対しては故障することはない。産業上の利用可能性は高いものである。
【図面の簡単な説明】
【００３４】
【図１】図1はこの発明に係る携帯電話ホルダーの使用状態図である。
【図２】図2は同正面図である。
【図３】図３は同背面図である。
【図４】図４は同左側面図である。
【図５】図５は同底面図である。
【図６】図６は図２におけるVI-VI線断面図である。
【図７】図7は図5に相当するケーシングが変形した図である。
【図８】図８は図5に相当する他の実施例の図である。
【符号の説明】
【００３５】
Ａ  …  二の腕
Ｈ  …  携帯電話ホルダー
Ｍ  …  使用者
Ｓ  …  スマートフォン
Ｐ  …  伸縮スパイラルストラップ
１０  …  リストバンド（支持用バンド）
２０  …  ケーシング
２１  …  上端開口
２２  …  係止ベルト
２３  …  ボタン止め手段
２４  …  蓋体片
２５  …  ボタン止め手段
２６  …  水抜き孔
２７  …  面ファスナー
２８  …  面ファスナー
【図１】
2014180328.tif 000003
【図２】
2014180328.tif 000004
【図３】
2014180328.tif 000005
【図４】
2014180328.tif 000006
【図５】
2014180328.tif 000007
【図６】
2014180328.tif 000008
【図７】
2014180328.tif 000009
【図８】
2014180328.tif 000010